(57)【要約】      （修正有）【課題】人が自身の口で直接膨らますことを抑制できる風船を提供する。【解決手段】風船本体１０の口巻き１１に口筒２０を装着した構成の風船１である。口筒２０の開口３５には、開口３５を閉塞して気体の流れを制限する閉塞板８１、８２を設置する。閉塞板８１、８２は、ヒンジ部８３、８５によって開口３５の内周面に連結されている。ヒンジ部８３、８５は、気体注入ポンプの気体吐出ノズルを開口３５に挿入して閉塞板８１、８２を開く際、開口３５の奥方向に屈曲して塑性変形する。【選択図】図７
0003227352.tif 000002
【実用新案登録請求の範囲】
【請求項１】
風船本体の口巻きに口筒を装着した構成の風船であって、
前記口筒には、前記風船本体内に気体を流入させる気体流路を設けると共に、当該気体流路の少なくとも一部を覆う１又は複数枚の閉塞板を設置したことを特徴とする風船。
【請求項２】
請求項１に記載の風船であって、
前記気体流路は、当該気体流路に気体注入手段のノズルを挿入する開口を有し、
前記閉塞板は、当該開口の部分に設けられていることを特徴とする風船。
【請求項３】
請求項２に記載の風船であって、
前記閉塞板は、ヒンジ部によって前記開口の内周面又はその近傍位置に連結されていることを特徴とする風船。
【請求項４】
請求項３に記載の風船であって、
前記ヒンジ部は、前記気体注入手段のノズルを前記開口に挿入した際に、開口の奥方向に屈曲して塑性変形する形状および材質で構成されていることを特徴とする風船。
【請求項５】
請求項２又は３又は４に記載の風船であって、
前記閉塞板は複数枚であり、当該各閉塞板間は、前記気体注入手段のノズルを前記開口に挿入した際に切断される連結部によって連結されていることを特徴とする風船。
【考案の詳細な説明】
【技術分野】
【０００１】
本考案は風船に関し、特に人間の口から直接風船本体内に気体を注入することを困難とし、気体注入ポンプ等の気体注入手段を用いることを促すことができる風船に関するものである。
【背景技術】
【０００２】
プロ野球ゲームが行われる野球場等の応援席では、ゲームの応援を行う一つの方法として、各観客が細長い形状等の風船を空中に飛ばすことが広く行われている。即ち、内部に空気等の気体を充填して膨らませた状態の風船の口巻き近傍部分を指等で塞いでおき、ゲームの進行状況等のタイミングを見計らって、風船を上方に向け、前記指等を離して、口巻き部分から風船内部に充填されている気体を外部に噴出させ、その際に発生する推進力で風船を空中に飛ばして、ゲームを行っている選手等を鼓舞し、観客と選手等が一体になった気持ちでゲームを盛り上げるようにしている。
【０００３】
上記風船本体の口巻き部分には、一般に笛機能を備えた樹脂製で筒状の口筒が取付けられ、この口筒から風船内部の空気が噴射される際に音が発生するようになっている。以下この種の風船を「口筒付き風船」と言う。
【先行技術文献】
【特許文献】
【０００４】
【特許文献１】実用新案登録第３１９０１００号公報
【考案の概要】
【考案が解決しようとする課題】
【０００５】
上記特許文献１に開示された口筒付き風船（１）は、当該特許文献１の図１〜図３に示すように、風船本体（１０）の口巻き（１１）を、樹脂製の口筒（２０）に装着してなる口筒付き風船（１）である。そして風船本体（１０）内には、口筒（２０）に設けた開口（３５）から空気を注入する。
【０００６】
しかしながら、例えばインフルエンザウイルスやコロナウイルス等のウイルスに感染している感染者、或いはそれ以外の各種感染症に感染している感染者が口筒付き風船（１）の口筒（２０）に直接口を付けて吐出した息（空気）を風船本体（１０）内に注入すると、この風船本体（１０）内の空気中には前記ウイルスなどの病原体が存在する可能性が高い。従って、当該風船（１）を飛ばした際、その周囲の環境が、風船（１）内から放出された病原体を含む気体や風船（１）自体によって、汚染される虞があった。
【０００７】
上記課題を解決するには、気体注入ポンプ等の気体注入手段を用いて風船（１）を膨らませることが好ましいが、風船（１）を口からの息で直接膨らませることができる以上、上記問題を確実に無くすことはできなかった。
【０００８】
本考案は上述の点に鑑みてなされたものでありその目的は、人が自身の口で直接膨らませることを効果的に抑制することができる風船を提供することにある。
【課題を解決するための手段】
【０００９】
本考案は、風船本体の口巻きに口筒を装着した構成の風船であって、前記口筒には、前記風船本体内に気体を流入させる気体流路を設けると共に、当該気体流路の少なくとも一部を覆う１又は複数枚の閉塞板を設置したことを特徴としている。
本考案にかかる風船は、閉塞板を設置したので、風船を口からの息で直接膨らませることは困難になる。このため、風船を口からの息で直接膨らませることは行われなくなる。これによって、風船を飛ばした際のその周囲の環境が、風船内から放出された気体や風船自体によって、病原体に汚染されることを防止でき、クリーンな環境を維持できる。
【００１０】
また本考案は、上記特徴に加え、前記気体流路は、当該気体流路に気体注入手段のノズルを挿入する開口を有し、前記閉塞板は、当該開口の部分に設けられていることを特徴としている。
開口部分に閉塞板を設けたので、効果的な気体流路の閉止を行うことができる。
【００１１】
また本考案は、上記特徴に加え、前記閉塞板は、ヒンジ部によって前記開口の内周面又はその近傍位置に連結されていることを特徴としている。
ヒンジ部によって、閉塞板を容易に開口部分に配置することができる。
【００１２】
また本考案は、上記特徴に加え、前記ヒンジ部は、前記気体注入手段のノズルを前記開口に挿入した際に、開口の奥方向に屈曲して塑性変形する形状および材質で構成されていることを特徴としている。
これによって、気体注入手段のノズルを開口から取り外した後においては、開口の閉塞板による閉止を防止でき、風船本体内に充填された気体の開口からの噴出をスムーズに行わせることができる。
【００１３】
また本考案は、上記特徴に加え、前記閉塞板は複数枚であり、当該各閉塞板間は、前記気体注入手段のノズルを前記開口に挿入した際に切断される連結部によって連結されていることを特徴としている。
連結部によって複数枚の閉塞板が連結されるので、ノズルによって閉塞板が開かれるまで、確実に開口を閉塞しておくことができる。
【考案の効果】
【００１４】
本考案によれば、人が自身の口で直接風船を膨らませることを効果的に抑制することができる。
【図面の簡単な説明】
【００１５】
【図１】口筒２０を上側から見た斜視図である。
【図２】口筒２０を下側から見た斜視図である。
【図３】図３（ａ）は口筒２０の平面図、図３（ｂ）は口筒２０の側断面図、図３（ｃ）は口筒２０の底面図である。
【図４】口筒２０の分解斜視図である。
【図５】風船本体１０への口筒２０の取付方法説明図である。
【図６】風船本体１０への口筒２０の取付状態図である。
【図７】風船本体１０への口筒２０の取付状態断面図（図６のＢ−Ｂ断面図）である。
【図８】口筒２０の動作説明図である。
【図９】口筒２０の動作説明図である。
【考案を実施するための形態】
【００１６】
以下、本考案の実施形態を、図面を参照して詳細に説明する。
図１は本考案の一実施形態にかかる口筒付き風船（風船）１に用いる口筒２０を上側から見た斜視図、図２は口筒２０を下側から見た斜視図、図３（ａ）は口筒２０の平面図、図３（ｂ）は口筒２０の側断面図（図３（ａ）のＡ−Ａ断面図）、図３（ｃ）は底面図、図４は口筒２０の分解斜視図、図５は風船本体１０への口筒２０の取付方法説明図、図６は風船本体１０への口筒２０の取付状態図、図７は風船本体１０への口筒２０の取付状態断面図（図６のＢ−Ｂ断面図）である。なお以下の説明においては、口筒２０から風船本体１０を見る方向を「上」、その反対方向を「下」ということとする。
【００１７】
図５，図６に示すように、口筒付き風船１は、天然ゴム等の伸縮性のある材料からなる風船本体１０と、風船本体１０の口巻き１１に取り付けられる口筒２０とを具備して構成されている。
【００１８】
風船本体１０は、空気が注入されると膨らみ、その上部は、図示しないが、細くて長い略円筒状の形状になる。但し、風船本体１０の形状は上記のものに限定されるものではなく、各種の変更が可能であり、どのような形状であっても良い。風船本体１０の空気を注入する口巻き１１は、リング状に形成され、所望の太さを有している。
【００１９】
口筒２０は、第１本体部３１と第２本体部５１とを一体にすることで構成され、一体化した口筒２０は、図１〜図３に示すように、全体として円筒状であって、その両端面が薄板状の覆い部３３，５３によって覆われ、さらに覆い部３３，５３の中央に円形の開口３５，５５を設けて構成されている。さらに口筒２０の外周面には、半径方向外方に向けて突出する一対のリング状（鍔状）の突出部３７，５７が所定の間隔で形成されており、これによって両者の間に形成されるリング状の凹部を口巻き取付部２１としている。一方、上側の突出部５７の下側の側壁部６１の外径寸法と、下側の突出部３７の上側の第１側壁部４１の内径寸法とをほぼ同一寸法に形成することで、第１本体部３１の第１側壁部４１の内側に、第２本体部５１の側壁部６１を係合した状態で圧入・一体化している。
【００２０】
第１本体部３１は合成樹脂の成形品であり、円筒状の第１側壁部４１の下端側に前記覆い部３３及び開口３５を設け、また第１側壁部４１の外周にリング状の前記突出部３７を設け、また第１側壁部４１の内側の覆い部３３の上面に円筒状の第２側壁部４２を立接して構成されている。第１側壁部４１と第２側壁部４２は同心円状に形成され、それらの間にはリング状の凹部からなる挿入部４５が形成されている。
【００２１】
そして前記開口３５内には、一対の閉塞板８１，８２が設置されている。これら閉塞板８１，８２は、両者によって、開口３５のほぼ全体、即ち前記気体流路のほぼ全体を閉じるように、即ち開口３５がほぼ閉塞状態となるように設置されている。閉塞板８１，８２はそれぞれ半円形状の平板であり、その直線状の辺の部分が所定の隙間を介して互いに平行に対向すると共に、当該閉塞板８１，８２のそれぞれの半円形状の辺の部分が所定の隙間を介して開口３５の内周辺に対向している。また当該閉塞板８１，８２のそれぞれの半円形状の辺の中央部に設けたヒンジ部８３，８５が開口３５の内周面に連結されている。ヒンジ部８３，８５は、閉塞板８１，８２が開口３５の奥方向に揺動した際、屈曲するが、その屈曲によって塑性変形する形状および材質で構成されている。さらに両閉塞板８１，８２の対向する直線状の辺の中央部分間は、連結部８７によって連結されている。連結部８７は、前記閉塞板８１，８２やヒンジ部８３，８５の厚みよりも薄く、且つヒンジ部８３，８５よりも細く形成され、これによって、下記する気体注入手段１００のノズル１０１を開口３５に挿入した際に容易に切断される強度に形成されている。
【００２２】
次に、第２本体部５１は合成樹脂の成形品であり、円筒状の側壁部６１の上端側に前記覆い部５３及び開口５５を設け、また側壁部６１の外周にリング状の前記突出部５７を設けて構成されている。
【００２３】
そして、第１本体部３１の挿入部４５内に、第２本体部５１の側壁部６１を圧入（挿入）すれば、図１乃至図３に示す口筒２０が完成する。このとき、側壁部６１の突出部５７より下側部分の厚み寸法を、挿入部４５の隙間寸法よりも若干大きくし、これによって、挿入部４５内に側壁部６１を圧入した際に両者が強固に固定されるように構成している。なお、第１本体部３１と第２本体部５１間は他の係合構造や接着材等によって一体化しても良い。
【００２４】
以上のようにして組み立てられた口筒２０は、全体として円筒状であって、その両端面が薄板状の覆い部３３，５３によって覆われ、さらに覆い部３３の底部中央及び覆い部５３の上部中央に、それぞれ円形状の開口３５，５５を設けている。そして開口３５から注入された気体（空気等）は開口５５から排出され、下記する風船本体１０内に充填（注入）される。即ち、開口３５から注入された気体は、内部の気体流路を通って開口５５から風船本体１０に流入し充填される。一方、風船本体１０内に充填された気体は開口５５を通って前記気体流路に流入し、ここから開口３５を通って外部に吐出される。
【００２５】
次に風船本体１０の口巻き１１に口筒２０を取り付けるには、図５，図６に示すように、口筒２０の上端側から、風船本体１０の口巻き１１を広げて装着する。これによって口巻き１１は、図６に示すように、突出部５７を乗り越えて口巻き取付部２１内に挿入され、その装着が完了する。口巻き１１は、図７に示すように、口巻き取付部２１の底面（第１側壁部４１の外周面）に弾接する。
【００２６】
そして、例えば、人間がその口を口筒２０に付けて息を吐出して風船本体１０を膨らませようとしても、開口３５は閉塞板８１，８２で覆われているため、吐出した息は開口３５から極めて入りにくく、強い抵抗が生じる。このため、風船本体１０を口からの息で直接膨らませることは困難になる。このため、風船本体１０を口からの息で直接膨らませることは行われなくなる。
【００２７】
一方、図８に示すように、前記口筒２０の開口３５、即ち前記気体流路に、携帯用の気体注入ポンプ（気体注入手段）１００の気体吐出ノズル（ノズル）１０１を差し込めば、両閉塞板８１，８２を連結している連結部８７が切断され、前記閉塞板８１，８２は、ヒンジ部８３，８５を中心に上方向に屈曲されて押し開かれる。そしてこの状態のまま気体注入ポンプ１００によって風船本体１０内に空気が注入される。閉塞板８１，８２は開かれているので、容易に空気を注入することができる。これによって、病原体や唾液などで汚染されていない空気を風船本体１０内に注入することができる。
【００２８】
前記気体注入ポンプ１００による風船本体１０内への空気の充填が完了すると、当該気体注入ポンプ１００のノズル１０１を前記開口３５から引き抜くと同時に、当該開口３５を指の腹で塞ぐ。この時、両閉塞板８１，８２は、図９に示すように、ヒンジ部８３，８５が塑性変形して屈曲した状態を保つので、上方向に開いたままの状態を保つ。つまり、開口３５は開かれた状態のままとなっている。従って、この開口３５から指の腹を離すと、風船本体１０内に充填された空気が、勢いよく開口３５から噴射され、風船１は、飛行する。このとき、風船１は、病原体や唾液などで汚染されていない空気を噴射するので、クリーンな環境を維持することができる。
【００２９】
以上本考案の実施形態を説明したが、本考案は上記実施形態に限定されるものではなく、実用新案登録請求の範囲、及び明細書と図面に記載された技術的思想の範囲内において種々の変形が可能である。なお直接明細書及び図面に記載がない何れの形状や構造や材質であっても、本願考案の作用・効果を奏する以上、本願考案の技術的思想の範囲内である。例えば、上記例では、口筒２０を略円筒状に形成したが、多角筒形状等、他の各種形状で構成しても良い。また、上記口筒２０は、２つの成形部品で構成したが、１つの部品で構成しても良いし、３つ以上の部品で構成しても良い。また上記例では、閉塞板８１，８２を開口３５の部分に設けたが、口筒２０内の気体流路の別の場所に設置しても良い。また上記例では、閉塞板８１，８２を開口３５の内周面にヒンジ部８３，８５によって連結したが、その代わりに、開口３５の内周面以外の近傍位置にヒンジ部８３，８５によって連結してもよい。また上記例では、開口３５のほぼ全部を閉塞するように閉塞板８１，８２を設置したが、開口３５の一部を閉塞して気体流路を通る気体の流れを制限するように閉塞板を設置しても良い。また上記例では、閉塞板８１，８２を２枚設置したが、１枚又は３枚以上設置しても良い。
【符号の説明】
【００３０】
１  口筒付き風船（風船）
１０  風船本体
１１  口巻き
２０  口筒
２１  口巻き取付部
３１  第１本体部
３５  開口
３７  突出部
５１  第２本体部
５５  開口
５７  突出部
８１，８２  閉塞板（気体流閉止機構）
８３，８５  ヒンジ部
８７  連結部
１００  気体注入ポンプ（気体注入手段）
１０１  気体吐出ノズル（ノズル）
【図１】
0003227352.tif 000003
【図２】
0003227352.tif 000004
【図３】
0003227352.tif 000005
【図４】
0003227352.tif 000006
【図５】
0003227352.tif 000007
【図６】
0003227352.tif 000008
【図７】
0003227352.tif 000009
【図８】
0003227352.tif 000010
【図９】
0003227352.tif 000011